(57)【要約】      （修正有）【課題】ステープルの厚み等によいシートが不均一に積み重ねられ、スタック能力に影響を及ぼし精算が低下するのを防止する。【解決手段】コンパイラ４３０でシートをステープル留めすることができ、コンパイラ４３０の後端支持部４３５は、第１のポジションから第２のポジションに移動することができる。コンパイラ４３０は、シート又はシートの束を落としてコンパイラ４３０の下に配置されたスタッキング支持部４５５上の第１の割り当て部及び第２の割り当て部にまとめられた束スタックを積み上げるよう構成される。【選択図】図４
2012229128.tif 000002
【特許請求の範囲】
【請求項１】
下地又は下地の束を支持し、後端支持部が第１のポジション及び第２のポジションのうちの一方に位置すると、前記下地又は下地の束を解放するよう構成された後端支持部を含む下地コンパイリング装置。
【請求項２】
前記後端支持部が第１のポジションに位置するとき、下地又は下地のスタックを支持する先端支持部をさらに含む、請求項１に記載の下地コンパイリング装置。
【請求項３】
下地の束をステープ留めするステープラをさらに含み、前記後端支持部により解放される前記下地の束がステープル留めされる、請求項１に記載の下地コンパイリング装置。
【請求項４】
前記後端支持部が、第１のポジション及び第２のポジションを往復しながら連続して複数の下地又は下地の束を解放するよう構成された、請求項１に記載の下地コンパイリング装置。
【請求項５】
前記下地支持部が、下地又は下地の束を保持するよう構成されたクランプをさらに含む、請求項１に記載の下地コンパイリング装置。
【請求項６】
前記下地支持部が、まとめられた下地の束を解放することができる第１のポジションから、まとめられた下地の束を解放することができる第２のポジションに移動することができる、請求項１に記載の下地コンパイリング装置。
【請求項７】
前記後端支持部が第１のポジションに位置し、紙又は紙の束が８．５インチ×１１インチ又はＡ４用紙のうちの一方のとき、前記紙又は紙の束を支持するよう構成された前記先端支持部及び後端支持部をさらに含む請求項２に記載の下地コンパイリング装置。
【請求項８】
下地を積み上げる方法であって、
第１の下地の束をまとめる工程と、
前記第１の下地の束を下地スタッキング支持部の第１の割り当て部及び第２の割り当て部のうちの一方に落とす工程と、を含む方法。
【請求項９】
第２の下地の束をまとめる工程と、
前記第２の下地の束を前記下地スタッキング支持部の第１の割り当て部及び第２の割り当て部の一方に落とす工程と、をさらに含む請求項８に記載の下地を積み上げる方法。
【請求項１０】
前記第１のまとめられた下地の束、前記第２のまとめられた下地の束、及びをその次のまとめられた下地の束を、前記下地スタッキング支持部の前記第１の割り当て部及び前記第２の割り当て部に交互に積み上げる工程をさらに含む請求項８に記載の方法。
【発明の詳細な説明】
【技術分野】
【０００１】
本開示は、プリント仕上げシステムにおける媒体の積み重ね容量を増加するための装置、システム、及び方法に関する。具体的には、本開示は、プリントシステムが稼働中に、媒体を積み重ね、ステープリング、及び取り出すことができる仕上げシステムに関する。
【背景技術】
【０００２】
従来技術におけるプリントシステムの仕上げシステムは、下地入力搬送部、下地コンパイラ、及びスタックトレイを含むことができる。一般的なスタックトレイは、最大容量で、例えば８０ｇｓｍの紙のシート３,０００枚の又はそれと同等の量を積載することができる。この容量は、特に複数のシートが出力されて積み重なったときの紙のカール、しわ及び／又はステープルの厚みにより減少する恐れがある。
【発明の概要】
【発明が解決しようとする課題】
【０００３】
従来技術のシステムでは、ステープルの厚み等によりシートが不均一に積み重ねられ、スタック能力に影響を及ぼし、システムの停止を余儀なくされ生産性が低下する。例えば、出力されたシートの片側でステープル留めし、積み重ねることがあり得る。スタックのステープル留めされた方がより早く積み重ねられ、スタックの平行性が失われる可能性がある。これにより、安定して積み重ねることができるシート又はステープル留めされたシートの束の枚数が、著しく削減される可能性がある。
【課題を解決するための手段】
【０００４】
実施形態による仕上げ装置及びシステムは、下地供給システム及びコンパイリングシステムを含むことができる。下地供給システムは、紙のシート等の下地をコンパイリングシステムに供給するよう構成することができる。コンパイリングシステムは、複数のシートをまとめ、最初にまとめられたシートの束を第１スタックに落とし、次にまとめられたシートの束を第２スタックに落とすよう構成することができる。第１スタック及び第２スタックを、各々スタッキングトレイの第１の割り当て部及び第２の割り当て部に配置することができる。
【０００５】
実施形態によるコンパイラ装置及びシステムは、後端支持部及び先端支持部を含むことができる。先端支持部を固定させることができる。後端支持部を第１のポジションから第２のポジションに移動可能に構築、構成及び／又はアレンジすることができる。第１のポジションでは、後端及び先端は、１枚以上のシート又はまとめられたシートの束の反対側を支持することができる。ステープリングシステムがコンパイラにおいてシートの束をステープリングするよう構成することができ、後端及び先端は、一連のステープル留めされたシートの束を支持し、まとめるよう構成される。後端は、保持機構（まとめられた束を保持するクランプ等）を含み、先端近くの第１のポジションから離れて第２のポジションに移動することができる。後端支持部が移動する間に先端支持部を固定する実施形態では、まとめられた束を保持して後端が移動するとき、先端ではまとめられた束を支持しない。
【０００６】
実施形態では、コンパイリングシステムはまとめられた束を第１のスタックに落とすことができる。後端支持部は第２のポジションに移動し、まとめられた束を第２スタックに落とすことができる。コンパイリングシステムは、シート又はシートの束を交互に第１スタック及び第２スタックに落とすことができる。
【０００７】
実施形態では、この方法はコンパイリングシステムを用いてシートの束をまとめる工程を含み、このコンパイリングシステムは、シートの束をその下に配置されるスタック又はスタックトレイに落とすまでシート又はシートの束を該シート又はシートの束の一方の側で保持するよう構成された可動式後端支持部を含む。この方法は、後端が第１のポジションのとき、シート又はシートの束を後端から第１スタックに落とす工程と、後端が第２のポジションのとき、シート又はシートの束を後端から第２スタックに落とす工程と、を含む。別の実施形態では、方法は、仕上げ中にシート又はシートの束を落とす間、第１スタックと第２スタックの間を行ったり来たりする工程を含むことができる。
【０００８】
本明細書において、例示的な実施形態を説明する。しかし、本明細書に記載される装置、システム、及び方法の特徴を組み込んだ全てのシステムは、これらの例示的な実施形態の範囲及び趣旨により包含されることは言うまでない。
【図面の簡単な説明】
【０００９】
【図１】仕上げシステムの側面図である。
【図２】例示的な構成部品が移動する状態を示す仕上げシステムの側面図である。
【図３】積み重ねたステープル留めされた束を収納した仕上げシステムの側面図である。
【図４】２つの積み重ねたステープル留めされた束を収納した仕上げシステムの側面図である。
【発明を実施するための形態】
【００１０】
実施形態の装置、システム及び方法は、紙のシート等の下地に画像プリントするシステムを含むことができる。シートは仕上げシステムに供給されて積み重ねられ得る。
【００１１】
仕上げシステムは、下地供給搬送部を含むことができる。供給搬送部が下地を、コンパイラ又はコンパイリングシステムに搬送するよう構成することができる。コンパイラは後端支持部を含むことができ、この後端支持部はクランプ又はタンパーと、先端支持部及び／又は排出装置を含むことができる。排出システムにより、まとめられた束をコンパイラからスタックへの搬送することを容易にすることができる。排出システムは排出装置及びタンパー、又は後端支持部を含むことができ、束の排出中にそれらが同時に移動するよう構成することができる。排出装置が、束を先端支持部からその下に配置された支持部又はスタックに押し出すときに、タンパーは、その束を誘導するよう構成することができる。このタンパーがそのまま移動し続け、後端の保持を解除し、束がスタックに落ちるようシステムを構成することができる。
【００１２】
シートを下地供給搬送部により、コンパイラに供給することができる。コンパイリングシステムが供給されたシートの束をまとめる。このコンパイリングシステムは、シートをステープル留めし、ステープル留めされたシートの束をまとめるよう構成することができる。具体的には、シートをまとめるとき、後端支持部又はタンパー及び先端支持部がシートを支持することができる。後端支持部を第１のポジションに配置することができ、これにより後端支持部は１枚以上のシートを、シートの後端で支持することができ、先端支持部はシート又はシートの束の先端を支持する。
【００１３】
後端支持部は、シートを保持するよう構成することができる。例えば、後端でクランプを備えることができる。あるいは後端支持部は、シートを保持するあらゆる好適な手段により先端又は排出装置の支持がなくてもシートを後端で保持することができる。例えば、後端支持部は、第１のポジションから第２のポジションに移動する間、シートを保持することができる。後端支持部が移動すると、シートが先端支持部から離れるように、先端支持部を固定することができる。
【００１４】
実施形態では、仕上げ中に後端支持部を第１のポジションから第２のポジションに移動するよう構成することができる。後端支持部が、第１のポジション及び第２のポジションでシートを離す、又は解放するよう構成することができ、これによりシートをコンパイラ下に配置されたスタックの支持部の上、又はスタックの支持部の上に既に積み上げられているシート又はシートの束の上に落とすことができる。実施形態では、例えば後端支持部が第１のポジションのときに、コンパイラがシート又はシートの束を第１のスタック又は第１のスタック支持部に落とすよう構成することができる。また、例えば後端が第２のポジションのとき、コンパイラがシート又はシートの束を第２スタック又は第２スタックの支持部に落とすよう構成することができる。先端支持部は、シートの束を排出するよう構成することができる。この排出システムにより、まとめられた束をコンパイラからスタックの上に移動させることが容易することができる。排出システムは、排出装置及びタンパー、又は後端支持部を含むことができ、束を排出する間、それらが同時に移動するよう構成することができる。排出装置が束を先端支持部からその下に配置された支持部又はスタックに押し出すとき、タンパーが、それを誘導するよう構成することができる。タンパーが引き続き移動し続け、後端の保持を解除し、束をスタック上に落とすよう、システムを構成することができる。
【００１５】
より具体的には、実施形態では、コンパイリングシステムの後端支持部がシート又はシートの束をまとめ、コンパイリングシステムの下に配置されたスタックの支持部分の上の第１のスタック又は第２のスタックのうちの一方に落とすことができる。例えば、後端支持部は第１のポジションで第１のシート又は第１のシートの束を落とし、次いで第２のシート又はシートの束をまとめた後、第１のポジションから離れた第２のポジションに後端を移動させることができる。スタックの間を交互に連続して、コンパイラがシート又はシートの束を落とすよう構成することができる。従って、従来技術の仕上げシステムでは一般的に単一の下地スタックに限定されており、このコンパイラは実質的にそれよりより大きな下地スタックの容量を収納することができる。
【００１６】
実施形態では、このコンパイラは、１枚以上のシートをステープル留めし、ステープル留めされた束を作るよう構成することができる。コンパイラがステープル留めされた束を２つのスタックに積み上げるよう構成することができ、一方のスタックを積み上げてからもう一方を積み上げる、又は２つのスタックを交互に積み上げる。
【００１７】
後端支持部が後退し第１のポジションから離れると、保持されたシート又は束が先端の移動により支持されなくなる。いくつかの実施形態では、従来技術の仕上げシステムで一般に必要とされる力よりも大きな力で、クランプ等の後端の下地の保持機構がシートを保持するよう構成することができる。
【００１８】
図面を参照して２倍の下地積み重ね容量を備える仕上げシステムを含むベルトロール式定着装置及びシステムを説明する。これらの図面では、同じ参照符号は図面全体にわたり類似又は同一の要素を示す。図面には種々の実施形態と、図示される仕上げシステムの実施形態に関連するデータと、が示されている。
【００１９】
図１には、仕上げシステムが示されている。具体的には、図１の仕上げシステム１００は下地供給搬送部１１０を含み、紙のシート等の下地をコンパイラ１３０に供給する。供給搬送部１１０はローラの組み合わせを含み、これにより容易にシートをコンパイラ１３０に搬送する。別の実施形態では、供給搬送部１１０で紙のシート等の下地をコンパイラ１３０に供給するために好適なあらゆる構成部品を組み合わせてもよい。
【００２０】
コンパイラ１３０は先端支持部１３３を含み、コンパイラ１３０に供給するシート又はシートの束の先端を支持することができる。排出装置を先端支持部の近くに配置し、後端支持部１３３が、図１に示す第１のポジションから第２のポジションに移動するとき、後端支持部１３３に保持されたシート又はシートの束の排出を容易にするよう構成することができる。
【００２１】
図１の仕上げシステム１００は、スタックトレイ１５０を含む。スタック１５３をスタックトレイ１５０上に配置する。図示する通り、先端支持部１３３が第１のポジションのとき、コンパイラ１３０がシートをスタックトレイ１５０上に落とすことによりスタック１５３は積み上げられる。図示しているスタック１５３には、ステープル留めされた束が含まれていない。この仕上げシステム１００では、ステープル留めされていな８０ｇｓｍの紙３,０００枚のシートのスタックを収納することができる。スタックトレイ１５０は、スタック支持部１５５を含むことができる。
【００２２】
図２には、下地供給搬送部２１０及びコンパイラ２３０を含む仕上げシステム２００が示されている。コンパイラは先端支持部２３３を含むことができる。排出装置を、その先端支持部２３３でシート又は束を排出するよう構成することができる。図２に示すコンパイラ２３０は、第１のポジションに配置された後端支持部２３５を含む。後端支持部２３５は、シート又はシートの束を保持し解放するために好適なクランプ又は同等の機構を含むことができる。
【００２３】
コンパイラ２３０がシートの束をまとめ、次いでシートを第１のスタック上に落とすよう構成することができる。後端支持部が第１のポジションに位置するとき、第１のスタックを後端支持部２３５に保持されたシート又はシートの束の下に配置することができ、シート又は束が先端支持部２３３に支持される。スタックをスタックトレイ２５０の上に積み上げることができ、このスタックトレイ２５０はスタック支持部２５５を含むことができる。スタック支持部２５５は、第１スタッキング部及び第２スタッキング部を含むことができる。シートを第１スタッキング割り当て部と第２スタッキング割り当て部のうちの一方、又は両方のスッタキング割り当て部へ落とすよう、このコンパイラを構成することができる。
【００２４】
例えば、図示する通り後端支持部２３５が第１のポジションのとき、コンパイラ２３０はまとめたシート又は束をスタッキングトレイ２５５の第１の割り当て部に落とすことができる。積み上げられる最大の高さにより、スタッキングトレイ２５５のスタッキング容量を制限できるように、仕上げシステム２００を構成することができる。例えば、スタッキングトレイ２５５には、スタッキングトレイ２５５の第１の割り当て部又は第２の割り当て部のどちらかに最高３,０００枚までシートを積み上げることができる。図２には、スタッキングトレイ２５５の第１の割り当て部に積み上げられたステープル留めされないシートのスタックが示されている。スタックが、しわやステープル等のあるシート又は束を含む場合、各スタックの最大容量は減少する可能性がある。２倍のスタック容量により、しわやステープル等によるスタック容量の減少を、従来技術のシステムに比べて、軽減することができる。
【００２５】
図３には、下地供給搬送部３１０及びコンパイラ３３０を含む仕上げシステム３００が示される。コンパイラ３３０は先端支持部３３３を含むことができる。シート又はシートの束を排出する排出装置を先端支持部３３３に配置することができる。図３に示すコンパイラ３３０は、第１のポジションに配置された後端支持部３３５を含む。後端支持部３３５は、シート又はシートの束を保持し解放するために好適なクランプ又は類似の機構を含むことができる。
【００２６】
コンパイラ３３０は、シートの束をまとめ、次いでシートを第１のスタック上に落とすよう構成することができる。後端支持部が第１のポジションに位置し、先端支持部３３３がシート又は束を支持すると、後端支持部３３５に保持されたシート又はシートの束の下に第１スタックを配置することができる。スタックをスタックトレイ３５０に配置することができ、このスタックトレイ３５０はスタック支持部３５５を含むことができる。このスタック支持部３５５は第１スタッキング割り当て部及び第２スタッキング割り当て部を含むことができる。
【００２７】
コンパイラ３３０は第１ポジションから第２のポジションに移動することができる。シート又は束を複数のスタックに落とすようコンパイラ３３０を構成することができ、これにより容量を増やし、ステープルやしわ等の影響を最小限に抑えることができる。
【００２８】
例えば、後端支持部３３５が第１のポジションのとき、コンパイラ３３０はまとめられたシート又は束を、スタッキングトレイ３５５の第１の割り当て部に落とすことができる。積み上げられる最大の高さによりスタッキングトレイ３５５の積み重ね容量が制限できるよう、仕上げシステム３００を構成することができる。例えば、スタッキングトレイ３５５は、最大３０００枚のステープル留めされていないシートのスタックを、スタッキングトレイ３５５の第１の割り当て部又は第２の割り当て部のどちらかに収納することができる。図３には、スタッキングトレイ３５５の第１の割り当て部に配置された、ステープル留めされたシートのスタックが示される。ステープルにより積み上げるシートの平坦度が失われ、スタックは平坦でなく安定を失う可能性がある。これにより、スタッキングトレイに積み上げることができる束の量が制限される可能性がある。例えば、図３のスタック３５３は平坦でなく容量が制限されている。
【００２９】
図４には、例示的な実施形態による下地供給搬送部４１０及びコンパイラ４３０を含む仕上げシステム４００が示される。コンパイラ４３０は先端支持部４３３を含むことができる。先端支持部４３３でシート又はシートの束を排出するよう排出装置を構成することができる。図４に示すコンパイラ４３０は、第２のポジションに配置された後端支持部４３５を含む。後端支持部４３５はシート又はシートの束を保持し解放するために好適なクランプ又は類似の機構を含むことができる。
【００３０】
シートの束をまとめ、次いでシートを第１のスタック上に落とすようコンパイラ４３０を構成することができる。後端支持部が第１のポジションに位置し、先端支持部４３３がシート又は束を支持すると、第１スタックを後端支持部４３５に支持されたシート又はシートの束の下に配置することができる。スタックをスタックトレイ４５０に配置することができ、このスタックトレイ４５０はスタック支持部４５５を含むことができる。このスタック支持部４５５は第１スタッキング割り当て部及び第２スタッキング割り当て部を含むことができる。
【００３１】
図４には、第１のポジションから離れた、第２のポジションに配置されたコンパイラ４３０が示される。後端４３５が第２のポジションのとき、後端４３５により保持されたシート又は束の下に、スタッキング支持部４５５の第２の割り当て部を配置することができる。コンパイラ４３０は、第２のポジションでシート又はシートの束を落とし、スタッキング支持部４５５の第２の割り当て部の上に第２のシートスタック４５１を形成することができる。
【００３２】
コンパイラ４３０は第１のポジションと第２のポジションの間を往復することができる。シート又は束を複数のスタックに落とすようコンパイラ４３０を構成することができ、これにより容量を増やしステープルやしわ等の影響を最小限に抑えることができる。
【００３３】
例えば、後端支持部４３５が第１のポジションに位置するとき、コンパイラ４３０は、まとめられたシート又は束をスタッキングトレイ４５０の第１の割り当て部及びスタッキング支持部４５５に落とすことができる。図４には、スタッキングトレイ４５５の第１の割り当て部に配置された、ステープル留めされたシートのスタック４５３が示される。ステープルにより積み上げられるシートは平坦でなく、スタックが平坦でなくなり安定を失う可能性がある。これにより、スタッキングトレイの第１の割り当て部に積み上げることができる束の量が制限される。例えば、図４のスタック４５３は平坦でなく、これにより容量が制限されている。
【００３４】
第１のスタック４５３が積み上げられた後、コンパイラ４３０を第２のポジションに移動させてシート又は束をスタッキング支持部４５５の第２の割り当て部の上の第２スタック４５１に落とすことができる。あるいは、コンパイラ４３０はシート又は束をスタッキング支持部４５５の各割り当て部に交互に落とすことにより、第１スタック４５３及び第２スタック４５１を積み上げることができる。別の実施形態では、後端支持部を固定でき、先端支持部を前述のように可動式にして第１のポジションと第２のポジションに移動できるよう、仕上げシステムを構成することができる。
【図１】
2012229128.tif 000003
【図２】
2012229128.tif 000004
【図３】
2012229128.tif 000005
【図４】
2012229128.tif 000006